(57)【特許請求の範囲】
【請求項１】
撮影対象に対して電子ズームを行う電子ズーム手段と、音声を出力する音声出力手段とを備える撮像装置において、
前記撮像装置が有する画素のうち、電子ズーム倍率によって定まる撮影範囲内の画素数が設定された記録画素数よりも小さい場合は画素数を拡大し、前記撮影範囲内の画素数が設定された記録画素数以上の場合は画素数を縮小することにより、撮影した画像を前記記録画素数に合わせたサイズに変換する画像サイズ変更手段と、
前記音声出力手段のオン／オフを切り換える音声出力切換手段と画像品質警告手段を備え、
前記画像品質警告手段は、前記電子ズーム手段による電子ズームにおいて、前記音声出力切換手段のオン／オフの状態に関わらず、前記画像サイズ変更手段による１倍以上の拡大処理が行われる倍率が設定され、前記撮像装置が持つ解像度よりも劣化した解像度で画像が記録される倍率が選択された場合に、１倍以上の拡大処理を行うことを知らせる警告音を前記音声出力手段から出力するように制御することを特徴とする撮像装置。
【請求項２】
前記警告音は複数言語に対応していることを特徴とする請求項１に記載の撮像装置。
【請求項３】
撮影対象を液晶装置に反映する電子ファインダを備え、前記警告音の出力と共に前記電子ファインダ上に警告表示を示すことを特徴とする請求項１又は２に記載の撮像装置。
【請求項４】
前記電子ファインダのオン／オフを切り換える表示切換手段を備え、前記表示切換手段のオン／オフの状態に関わらず、前記電子ファインダが前記警告表示を出力することを特徴とする請求項３に記載の撮像装置。
【請求項５】
電子ズーム手段によって撮影対象に対して電子ズームを行い、音声出力手段によって音声を出力する撮影時警告方法において、
前記撮像装置が有する画素のうち、電子ズーム倍率によって定まる撮影範囲内の画素数が設定された記録画素数よりも小さい場合は画素数を拡大し、前記撮影範囲内の画素数が設定された記録画素数以上の場合は画素数を縮小することにより、撮影した画像を前記記録画素数に合わせたサイズに変換する処理を画像サイズ変更手段によって行い、
音声出力切換手段によって前記音声出力手段のオン／オフを切り換え、前記音声出力切換手段のオン／オフの状態に関わらず、前記電子ズーム手段による電子ズームにおいて、前記画像サイズ変更手段による１倍以上の拡大処理が行われる倍率が設定され、前記撮像装置が持つ解像度よりも劣化した解像度で画像が記録される倍率が選択された場合に、１倍以上の拡大処理を行うことを知らせる警告音を画像品質警告手段によって前記音声出力手段から出力するように制御することを特徴とする撮影時警告方法。
【請求項６】
前記警告音は複数言語に対応し、言語設定状態に合わせた音声データであることを特徴とする請求項５に記載の撮影時警告方法。
【請求項７】
前記警告音の出力と共に電子ファインダ上に警告表示を表示することを特徴とする請求項５又は６に記載の撮影時警告方法。
【請求項８】
表示切換手段によって前記電子ファインダのオン／オフを切り換え、前記表示切換手段のオン／オフの状態に関わらず、前記電子ファインダが前記警告表示を表示することを特徴とする請求項７に記載の撮影時警告方法。
【請求項９】
請求項５乃至８のいずれか１項に記載の撮影時警告方法における動作を実行するための制御プログラムを記録したことを特徴とするコンピュータ読み取り可能な記録媒体。
【発明の詳細な説明】
【技術分野】
【０００１】
本発明は、撮像装置、撮影時警告方法及びコンピュータ読み取り可能な記録媒体に関し、特に、電子ズーム作動時や取り込み画像の拡大処理時に警告を行う撮像装置、撮影時警告方法及びコンピュータ読み取り可能な記録媒体に関する。
【背景技術】
【０００２】
液晶等の表示手段やスピーカ等の音声出力手段を備えた従来のデジタルカメラにおいて、操作時に操作内容を知らせる表示や音声を出力するものが知られている。例えば、特許文献１は、ズーム倍率が変更された場合に、ズームアップかズームダウンかを表示と音で知らせる技術を提案したものである。また、特許文献２は、電子ズーム警告を表示するデジタルカメラを開示している。さらに、特許文献３は、表示手段としてのＬＣＤ（液晶ディスプレイ）がＯＦＦなら電子ズームを禁止し、光学ファインダ内に撮影枠を表示するものを提案している。
【特許文献１】特開２００４−２４７８４２公報
【特許文献２】特開２００１−１６９１５５公報
【特許文献３】特開２００３−２７４２５３公報
【発明の開示】
【発明が解決しようとする課題】
【０００３】
ところで、光学ファインダ内に電子ズームにあわせた枠を表示できるように構成されているとか、電子ズーム倍率に合わせて光学ファインダ倍率を変更できる機構を持つといったものでない場合、電子ズーム時においては、撮影により記録される範囲と光学ファインダの小窓から見ている範囲が異なったものになるという問題が生じる。例えば、図１３のような電子ズーム倍率（斜線部内）が設定されていても、光学ファインダでは図１４のように見える。この場合、光学ファインダから見ていると、画面左上の星（図１４）が写っていると思って撮影しても、実際の範囲は図１３のようになるため、撮影されないという問題が発生する。
また、電子ズームの倍率によっては取り込み画像の拡大処理のためにカメラが本来持っている解像度よりも低い解像度で画像を処理している場合があり、光学ファインダを覗いているときは、画質が劣化していることに気づかないまま撮影してしまうことがある。
【０００４】
そして、このような問題に対する上述の従来技術の貢献について、特許文献１の技術は、電子ズームの作動や取り込み画像の拡大処理に対して警告を行うものではないので、上述のような補助機能を持たない光学ファインダを覗いているときに、被写体を構成する対象の一部が撮影範囲から外れたことに気づかないまま撮影してしまうという問題を解決することはできない。また、音声出力を禁止するような設定が可能である場合に、警告機能が得られない可能性がある。また、特許文献２は、音については、警告音でもよいとされているが、具体的な構成についての明示がなく、技術の実現が得られない。また、特許文献３の場合は、光学ファインダのコストアップになる。
そこで、本発明は、上述した実情を考慮してなされたもので、簡単な構成でありながら、取り込み画像の拡大処理により使用者が意図しない画像が記録されるのを防止できる撮像装置、撮影時警告方法及びコンピュータ読み取り可能な記録媒体を提供することを目的とする。
【課題を解決するための手段】
【０００５】
上記の課題を解決するために、請求項１に記載の発明は、撮影対象に対して電子ズームを行う電子ズーム手段と、音声を出力する音声出力手段とを備える撮像装置において、前記撮像装置が有する画素のうち、電子ズーム倍率によって定まる撮影範囲内の画素数が設定された記録画素数よりも小さい場合は画素数を拡大し、前記撮影範囲内の画素数が設定された記録画素数以上の場合は画素数を縮小することにより、撮影した画像を前記記録画素数に合わせたサイズに変換する画像サイズ変更手段と、前記音声出力手段のオン／オフを切り換える音声出力切換手段と画像品質警告手段を備え、前記画像品質警告手段は、前記電子ズーム手段による電子ズームにおいて、前記音声出力切換手段のオン／オフの状態に関わらず、前記画像サイズ変更手段による１倍以上の拡大処理が行われる倍率が設定され、前記撮像装置が持つ解像度よりも劣化した解像度で画像が記録される倍率が選択された場合に、１倍以上の拡大処理を行うことを知らせる警告音を前記音声出力手段から出力するように制御することを特徴とする撮像装置特徴とする。
【０００６】
また請求項２に記載の発明では、前記警告音は複数言語に対応していることを特徴とする請求項１に記載の撮像装置を特徴とする。
また請求項３に記載の発明では、撮影対象を液晶装置に反映する電子ファインダを備え、前記警告音の出力と共に前記電子ファインダ上に警告表示を示す請求項１乃至５のいずれか１項に記載の撮像装置を特徴とする。
【０００７】
また請求項４に記載の発明では、前記電子ファインダのオン／オフを切り換える表示切換手段を備え、前記表示切換手段のオン／オフの状態に関わらず、前記電子ファインダが前記警告表示を出力する請求項３に記載の撮像装置を特徴とする。
また請求項５に記載の発明では、電子ズーム手段によって撮影対象に対して電子ズームを行い、音声出力手段によって音声を出力する撮影時警告方法において、前記撮像装置が有する画素のうち、電子ズーム倍率によって定まる撮影範囲内の画素数が設定された記録画素数よりも小さい場合は画素数を拡大し、前記撮影範囲内の画素数が設定された記録画素数以上の場合は画素数を縮小することにより、撮影した画像を前記記録画素数に合わせたサイズに変換する処理を画像サイズ変更手段によって行い、音声出力切換手段によって前記音声出力手段のオン／オフを切り換え、前記音声出力切換手段のオン／オフの状態に関わらず、前記電子ズーム手段による電子ズームにおいて、前記画像サイズ変更手段による１倍以上の拡大処理が行われる倍率が設定され、前記撮像装置が持つ解像度よりも劣化した解像度で画像が記録される倍率が選択された場合に、１倍以上の拡大処理を行うことを知らせる警告音を画像品質警告手段によって前記音声出力手段から出力するように制御することを特徴とする撮影時警告方法を特徴とする。
【０００８】
また請求項６に記載の発明では、前記警告音は複数言語に対応し、言語設定状態に合わせた音声データであることを特徴とする請求項５に記載の撮影時警告方法を特徴とする。
また請求項７に記載の発明では、前記警告音の出力と共に電子ファインダ上に警告表示を表示する請求項５又は６に記載の撮影時警告方法を特徴とする。
また請求項８に記載の発明では、表示切換手段によって前記電子ファインダのオン／オフを切り換え、前記表示切換手段のオン／オフの状態に関わらず、前記電子ファインダが前記警告表示を表示する請求項７に記載の撮影時警告方法を特徴とする。
また請求項９に記載の発明では、請求項５乃至８のいずれか１項に記載の撮影時警告方法における動作を実行するための制御プログラムを記録したコンピュータ読み取り可能な記録媒体を特徴とする。
【発明の効果】
【０００９】
本発明によれば、音声出力切換手段のオン／オフの状態に関わらず、撮像装置が持つ解像度よりも劣化した解像度で画像が記録される倍率が選択された時点で警告音が出ることによって、意図しない画質の劣化がある撮影をしてしまうというミスを回避できる。また、音声出力をオフにしていた場合でもこの警告音だけは出力されるようにすることで、より確実に失敗撮影を回避することができる。
また、警告音と共に表示装置に警告の内容を表示することで、視覚的に確認することができるようになり、警告をより確実に使用者に伝えることができる。また、音声が聞き取りにくいような環境下でも視覚的に確認することでできるため、使用環境によって使用者の失敗撮影が増えてしまうという問題を回避できる。また、電子ファインダの表示がオフの場合に、警告表示をする期間は自動的に表示をオンにすることで、音声だけの警告よりもより効果的な警告が可能となる。
【発明を実施するための最良の形態】
【００１０】
以下、図面を参照して、本発明の撮像装置、撮影時警告方法及びコンピュータ読み取り可能な記録媒体を実施するための最良の形態を詳細に説明する。なお、本実施例では、撮像装置としてデジタルカメラを例にした場合について説明するが、電子ズーム処理ができる撮像装置であればよく、デジタルカメラに限定されるものではない。また、撮影時警告方法とは、本発明の警告に当たる画質劣化に対する警告だけでなく、電子ズームの作動に対する警告を行う時の制御方法（動作）であり、ここの説明で示す処理動作のことである。図１は本発明を実施するための最良の形態であるデジタルカメラのブロック図、図２〜図４は、それぞれデジタルカメラの背面図、正面図、上面図である。最初にデジタルカメラのブロック図の各部についての説明をする。レンズユニット内にあるレンズ（ズームおよびフォーカスレンズ）１及びシャッタ２は、モータドライバ３によって駆動される。モータドライバ３は、信号処理ＩＣ４の内部に含まれるマイクロコンピュータ（以下マイコン）５によって制御される。
【００１１】
撮像部は、ＣＣＤ（撮像素子）６、ＣＣＤ６を駆動するタイミング信号発生器（以下ＴＧ）７、アナログゲインコントローラ（以下ＡＧＣ）８、ＣＣＤ出力電気信号（アナログ画像データ）をデジタル信号に変換するＡ／Ｄ変換器９等から構成されている。撮像部から入力されたデジタルデータは、ＣＣＤＩ／Ｆ（Inter Face）１１を介して、画像蓄積部のフレームメモリであるＳＤＲＡＭ１２にＲＧＢデータとして一時保管される。
信号処理ＩＣ４は、ＣＣＤＩ／Ｆ１１、画像処理部１３、表示Ｉ／Ｆ１４、ＪＰＥＧコーデック部１５、リサイズ部（画像サイズ変更手段）１６、カードコントローラ１７、音声コーデック部１８、メモリコントローラ１９、システム制御を行うマイコン５から構成されている。ＣＣＤＩ／Ｆ１１は、画面水平同期信号（ＨＤ）と画面垂直同期信号（ＶＤ）の出力を行い、その同期信号に合わせてＡ／Ｄ変換器から入力されるデジタルＲＧＢ信号を取り込んで、メモリコントローラ１９経由でＳＤＲＡＭ１２にＲＧＢデータの書き込みを行う。
画像処理部１３は、制御部から設定された画像処理パラメータに基づき、ＳＤＲＡＭ１２に一時保管されたＲＧＢデータをＹＵＶデータに変換処理して、ＳＤＲＡＭ１２に出力する。リサイズ部１６は、ＹＵＶデータを読み出して、記録するために必要なサイズへのサイズ変換、サムネイル画像へのサイズ変換、表示に適したサイズへのサイズ変換などを行う。表示Ｉ／Ｆ１４は、ＳＤＲＡＭ１２に書き込まれた表示用データを表示装置（ＬＣＤ（液晶ディスプレイ））２１に送り、撮影画像の表示を行う。この表示用データは、ＬＣＤに表示することも、ＴＶビデオ信号として出力してテレビに表示することも可能である。なお、表示装置２１はライブビュー映像を表示し、電子ファインダとしての機能を果たす。
【００１２】
ＪＰＥＧコーデック部１５は、記録時はＳＤＲＡＭ１２に書き込まれたＹＵＶデータを圧縮してＪＰＥＧ符号化されたデータを出力し、再生時はカードより読み出したＪＰＥＧ符号化データをＹＵＶデータに伸張して出力する。音声コーデック部１８は、ＳＤＲＡＭ１２に読み出された音声情報を電気信号に変換し、音声出力手段としての音声出力装置（スピーカ）２２に出力する。カードコントローラ１７は、マイコンの指示により、メモリカード２３内のデータのＳＤＲＡＭ１２への読み出しや、ＳＤＲＡＭ１２上のデータのメモリカード２３への書き込みを行う。
マイコン５は、起動時にＲＯＭ２４に格納されたプログラム及び制御データをＳＤＲＡＭ１２にロードし、そのプログラムコードに基づいて全体を制御する。また、操作部２５のボタン等による指示、或は図示しないリモコン等の外部動作指示、或はパーソナルコンピュータ等の外部端末からの通信による通信動作指示に従い、撮像動作制御、画像処理装置における画像処理パラメータの設定、メモリコントロール、表示制御を行う。
操作部２５は、撮影者が撮像装置の動作指示を行うためのものであり、撮影を指示するレリーズキー３１（図３、図４）、光学ズーム及び電子ズームの倍率を設定するズームボタン３２、その他の各種設定を外部から行うためのボタンを備えている。ここで、電子ズームとは、ＣＣＤが捉えた画像の一部を拡大して被写体の大きさを変える処理を行うためのもので、電子ズーム手段によってその機能が与えられている。なお、電子ズーム手段の構成は周知の技術であるのでその操作方法を除き詳細な説明は省略する。
【００１３】
次に、電子ズーム時の撮影動作についての説明を行う。図４の撮影／再生切り替えダイアル３３を撮影に設定し、電源釦３４によってカメラを起動すると、レンズがズームワイド位置に設定されて、表示装置２１にライブビュー映像が表示される。起動状態から、ズーム望遠釦（以下ズームＴ釦）３２ｔを押すことで、ズームレンズが望遠側（以下テレ側）へ移動する。ズーム広角釦（以下ズームＷ釦）３２ｗを押すと、ズームレンズが広角側（以下ワイド側）に移動する。
従来技術の説明で示した図１３、図１４も再度用いながら説明する。図１４は光学ズームが最大倍率（テレ端）になったときの表示である。画面左下がズーム位置表示バーであり、黒点が現在のテレ端位置を示している。図１４では、斜線部の電子ズーム範囲に入っていないことが判る。ここで再度ズームＴ釦３２ｔ（図２）を押すと、電子ズームの状態となる。図１３は電子ズームになっているときの状態である。ここでレリーズキー３１（図３、図４）が押されると、合焦動作および露光時間設定などの撮影準備処理が行われ、続いて記録露光処理が行われる。  そして、シャッタ２（図１）を閉じた後に、ＣＣＤ全画素分のＲＧＢデータが一度ＳＤＲＡＭ１２に取り込まれる。次に、図５のように、現在表示されている範囲に相当する部分のみが画像処理部に送られＹＵＶデータに変換される。このＹＵＶデータはリサイズ部１６（図１）で記録画素数に合わせたサイズに変換された後に、ＪＰＥＧ圧縮処理を行い、ヘッダ情報を付加してＪＰＥＧファイルとしてメモリカード２３（図１）に保存される。
【００１４】
ここで、電子ズーム警告について説明する。本デジタルカメラの光学ファインダ３５（図２、図３）は電子ズームの作動による撮影対象の拡大に対応する構造を持っていないため、光学ファインダ３５から目視できる範囲と電子ズームで拡大した場合に記録される撮影範囲とが異なる場合が生じる。この問題を回避するため、本デジタルカメラでは、電子ズーム状態に入った場合に、電子ズームが作動することを知らせる警告音を音声出力装置２２（図１）から出力するように電子ズーム警告手段によって制御される。また、同時に、その旨の警告を表示装置２１（図２）に表示するように制御される。これらの警告は、ズームテレ端から再度ズームＴ釦３２ｔを押したときに出力される。
電子ズーム警告手段の制御動作はマイコン５（図１）内で実現されている。この電子ズーム警告手段により、被写体を構成する対象の一部が撮影範囲から外れたことに気づかないまま撮影してしまうのを防止することが可能となる。なお、本デジタルカメラは、音声出力のオン／オフを切り替えるための音声出力切替手段（図示せず）を備えているが、音声出力切換手段のオン／オフの状態に関わらず、音声出力装置２２（図１）は電子ズーム警告手段に基づく警告音を出力するようになっている。これにより、撮影範囲に関する失敗撮影をより確実に防止することが可能となる。
【００１５】
複数言語に対応した音声出力データは、ＲＯＭ２４（図１）内に保存されている。デジタルカメラの言語設定状態に合わせて、音声データがＳＤＲＡＭ１２に読み出される。例えば、日本語が設定されている状態で電子ズームがオンになった場合は、「電子ズーム」と発声される音声情報がＳＤＲＡＭ１２に読み出され、音声コーデック部１８で電気信号に変換され、本体の音声出力装置２２から音声が出力される。また、ＴＶに接続されている場合は、合わせてＴＶ出力端子の音声ラインにも同様の信号が出力される。また、英語に設定されているならば「Digital Zoom」と音声出力が行われる。
この警告音の出力は、撮影したつもりの範囲と実際撮影される範囲が異なるのは重大な問題となる場合があるため、通常の操作音の出力をＯＦＦにしている状態であっても、上述したように、必ず音を出すこととして、重大な問題に気づかないことがないようにしている。なお、コストを抑えるために音声出力装置を備えずにブザー音を出力する機能だけを備える場合や各言語対応のデータを蓄えるほどのメモリ容量を持たせないように構成した場合であっても、ブザーを例えば１秒間連続出力することで電子ズームの警告が可能である。
警告表示は、電子ズームオフのズームテレ端（図６）から再度ズームＴ釦を押したときに、この例では１秒間出力される。表示は図７の日本語表示や図８の英語表示のように、言語設定状態にあわせて表示文字が切り替えられる。図７の状態から、ズームＷ釦３２ｗ（図２）を押すと電子ズームがオフになる。図９は電子ズームがオフになったときの表示である。このときもあわせて音声出力がある。電子ズーム警告時と同じように、日本語設定では「電子ズームオフ」という音声が出力される。
【００１６】
次に、本発明の警告に当たる画像品質警告について説明する。画像品質警告は、ＣＣＤ６（図１）が持つ解像度よりも劣化した解像度で画像が記録される倍率が選択されたときに行われる。つまり、記録画像を作るときに拡大処理がされる倍率が選択されたときに画像品質警告が行われる。本デジタルカメラでは、電子ズーム手段による電子ズームにおいて、１倍以上の拡大処理が行われる倍率が設定された場合に、１倍以上の拡大処理を行うことを知らせる警告音を音声出力装置２２（図１）から出力するように制御するための画像品質警告手段としての機能をマイコン５（図１）内に備えている。この画像品質警告手段により、画像品質が低下していることに気づかないまま撮影をしてしまうのを防止することが可能となる。
この例では、画像品質警告手段は、音声出力と同時に、その旨の警告を表示装置２１（図１、図２）に表示するように制御する。これにより、視覚的に確認することができるようになり、警告をより確実に使用者に伝えることができる。また、音声が聞き取りにくいような環境化でも視覚的に確認することでできるため、使用環境によって使用者の失敗撮影が増えてしまうという問題を回避できる。
なお、本デジタルカメラは、警告表示のオン／オフを切り替えるための表示切替手段（図示せず）を備えているが、表示切換手段のオン／オフの状態に関わらず、表示装置２１は電子ズーム警告手段や画像品質警告手段に基づく警告を表示するようになっている。これにより、画像品質の低下に関する失敗撮影をより確実に防止することが可能となる。
【００１７】
また、電子ズーム警告手段の制御によって出力する場合と画像品質警告手段の制御によって出力する場合とでは警告音の音が異なるように設定されており、これにより、発生しようとする問題が何であるかを使用者が明確に知ることができる。また、同様に、電子ズーム警告手段の制御によって表示する場合と画像品質警告手段の制御によって表示する場合とでは警告表示の内容が異なるように設定されており、これにより、異なる警告音の場合と同様に、発生しようとする問題が何であるかを使用者が明確に知ることができる。
ここでは、１２０万画素のＣＣＤを例として説明する。このＣＣＤの記録画素数は水平１２６０画素、垂直９６０画素である。カメラは記録画素数を１２０万画素（１２８０×９６０）と３０万画素（６４０×４８０）との２つから選択が可能とする。そしてデジタルズーム倍率は０．２倍きざみで設定が可能とする。記録画素数を１２０万画素、デジタルズームを１．２倍とした場合、ＹＵＶ変換後の画素数は１０６８×８００程度となる。このデータをリサイズ部１６（図１）に入力し、１．２倍にすることで１２８０×９６０画素とし、ＪＰＥＧ圧縮を行う。  
【００１８】
リサイズモジュールでは、例えばバイリニアやバイキュービック補間とリサンプリングにより、拡大処理が行われる。１２０万画素よりも少ない画素をもとに１２０万画素を作ってしまうため、本来のＣＣＤにおける解像度よりも低い解像度で記録されることとになり、画質が劣化してしまう。
この劣化度合いは、電子ズーム倍率が高くなるほど強くなる。記録画素数を３０万画素、デジタルズームが１．２倍とした場合、ＹＵＶ変換後の画素数は１０６８×８００程度となる。このデータをリサイズ部に入力し、縮小処理によって６４０×４８０画素として、ＪＰＥＧ圧縮を行う。この場合記録画素数よりもＹＵＶデータが多いために、電子ズームがオフの時と同等の画像品質が得られる。
３０万画素のモードでは、電子ズーム１．８倍までは記録画素数よりもＹＵＶデータが多くなっている。２．０倍で記録画素数とＹＵＶ変換画素数が一致する。ここまでは画質劣化がほぼない。しかし２．２倍になった時点で記録画素数よりもＹＵＶ変換画素数が少なくなり、リサイズ部１６で拡大処理が行われ、解像度にかかわる画質の劣化が始まる。
以上のように、画像品質の劣化が始まる電子ズームの倍率は、記録画素数によって違っている。図１０は３０万画素のモードで電子ズームオフのテレ端である。図１０の状態からさらにズームＴ釦３２ｔ（図２）で電子ズームを作動させると図１１のようになる。図１１は３０万画素の電子ズーム２．０倍になったときの表示である。このとき、画像品質警告表示は出ない。図１２は２．０倍の状態からズームＴ釦をもう一度押した結果、３０万画素の電子ズーム２．２倍になったときの表示である。この倍率から上述のように拡大リサイズ処理が入るので、この時点で画像品質警告が行われる。
【００１９】
上述した１２０万画素記録モードでは、電子ズーム１．２倍からすでに拡大処理が始まるため、電子ズームオフ状態から一度ズームＴ釦３２ｔを押した状態で画像品質警告が行われる。このような警告をすることで、画像品質が劣化する設定であることを気が付かずに撮影してしまうという失敗を防ぐことができる。
なお、この図１２は英語設定になっているときの警告表示である。音声出力も表示文字と同じ音声の出力がある。日本語設定になっているときは、「画像品質」と警告表示と音声出力がある。また、電子ズーム警告音と同様に、ブザー音だけを出力する仕様としてもよい。この場合は、電子ズーム警告と別の警告であることを示すため、例えば、０．３秒のブザー音を３回連続で出力するようにするのがよい。
ここまで、電子ズームが作動することを警告する場合の撮影時警告方法と画質が劣化することを警告する場合の撮影時警告方法における動作について説明したが、これらを実行するための制御プログラムをコンピュータ読み取り可能な記録媒体に記録することで、ここで示した撮影時警告方法を選択的に採用することが容易になり、コストを上げずに上述の撮影時警告機能を得ることが可能となる。
【図面の簡単な説明】
【００２０】
【図１】本発明に係るデジタルカメラの制御系を示すブロック図である。
【図２】デジタルカメラの背面図である。
【図３】デジタルカメラの正面図である。
【図４】デジタルカメラの上面図である。
【図５】撮像素子と電子ズーム範囲の関係を示す概念図である。
【図６】電子ズームオフのズームテレ端時の表示装置画面を示す図である。
【図７】電子ズームオン直後の表示装置画面（日本語表示）を示す図である。
【図８】電子ズームオン直後の表示装置画面（英語表示）を示す図である。
【図９】電子ズームオフ時の表示装置画面を示す図である。
【図１０】３０万画素モード時の電子ズームオフ（テレ端）の表示装置画面を示す図である。
【図１１】３０万画素モード時の電子ズーム２．０倍の表示装置画面を示す図である。
【図１２】３０万画素モード時の電子ズーム２．２倍の表示装置画面を示す図である。
【図１３】電子ズームが作動しているときの表示装置画面を示す図である。
【図１４】光学ズームが最大倍率（テレ端）の時の表示装置画面を示す図である。
【符号の説明】
【００２１】
１  レンズ、２  シャッタ、３  モータドライバ、４  信号処理ＩＣ、５  マイコン、６  ＣＣＤ（撮像素子）、７  ＴＧ（タイミング信号発生器）、８  ＡＧＣ（アナログゲインコントローラ）、９  Ａ／Ｄ変換器、１１  ＣＣＤＩ／Ｆ、１２  ＳＤＲＡＭ、１３  画像処理部、１４  表示Ｉ／Ｆ、１５  ＪＰＥＧコーデック部、１６  リサイズ部、１７  カードコントローラ、１８  音声コーデック部、１９  メモリコントローラ、２１  表示装置（ＬＣＤ（液晶ディスプレイ））、２２  音声出力装置、２３  メモリカード、２４  ＲＯＭ、２５  操作部、３１  レリーズキー、３２  ズームボタン、３２ｔ  ズーム望遠釦（ズームＴ釦）、３２ｗ  ズーム広角釦（ズームＷ釦）、３３  撮影／再生切り替えダイアル、３４  電源釦、３５  光学ファインダ
【図１】
0004724041.tif 000002
【図２】
0004724041.tif 000003
【図３】
0004724041.tif 000004
【図４】
0004724041.tif 000005
【図５】
0004724041.tif 000006
【図６】
0004724041.tif 000007
【図７】
0004724041.tif 000008
【図８】
0004724041.tif 000009
【図９】
0004724041.tif 000010
【図１０】
0004724041.tif 000011
【図１１】
0004724041.tif 000012
【図１２】
0004724041.tif 000013
【図１３】
0004724041.tif 000014
【図１４】
0004724041.tif 000015